(57)【要約】【課題】役物上の特定の領域等をより明るく、華やかに見せることができるとともに、低コストで、かつ、小スペースで電飾効果を得ることができる弾球遊技機を提供すること。【解決手段】光源と、前記光源から出射された光を遊技者側へ反射するリフレクタと、前記リフレクタによる光の反射方向と対向するように配置される装飾板とを遊技盤に設けた弾球遊技機であって、前記装飾板の一方の面には、反射部材が配設されており、少なくとも前記反射部材の前記遊技者と向き合う側と反対側の面に、第一の反射面が形成されていることを特徴とする弾球遊技機。【選択図】      図３
2004236699.tif 000002
【特許請求の範囲】
【請求項１】
光源と、前記光源から出射された光を遊技者側へ反射するリフレクタと、前記リフレクタによる光の反射方向と対向するように配置された装飾板とを遊技盤に設けた弾球遊技機であって、
前記装飾板の一方の面には、反射部材が配設されており、
少なくとも前記反射部材の前記遊技者と向き合う側と反対側の面に、第一の反射面が形成されていることを特徴とする弾球遊技機。
【請求項２】
前記反射部材に形成された第一の反射面は、前記光源からの光の一部を透過することが可能な半透光性を有する請求項１に記載の弾球遊技機。
【請求項３】
前記反射部材には、前記遊技者と向き合う側の面に第二の反射面が形成されており、
前記リフレクタの一部が、前記装飾板より前記遊技者側の方向に迫り出し、前記リフレクタで反射した光の一部が、前記第二の反射面に照射され得るように構成されている請求項１または２に記載の弾球遊技機。
【請求項４】
前記装飾板の前記遊技者側の面に、立体的形状を有する像が配置されている請求項１〜３のいずれか１に記載の弾球遊技機。
【発明の詳細な説明】
【０００１】
【発明の属する技術分野】
本発明は、パチンコ遊技装置等の弾球遊技機に関する。
【０００２】
【従来の技術】
従来から、弾球遊技機においては、ランプや発光ダイオード（以下、ＬＥＤという）等の光源の点灯や点滅により遊技盤や役物等の装飾を行う、所謂「電飾」が行われている。近時、遊技盤上に設置された液晶表示装置等に動画像を表示させる種々の演出が行われ、そのような演出に遊技者の興味や関心が移行しつつあるが、動画像による演出では動画像自体に興味や関心を抱かせることができたとしても遊技盤や役物を明るく華やかに見せることは困難であり、このような点からも、「電飾」は現在でも弾球遊技機における演出として重要な役割を担っているといえる。
【０００３】
そして、電飾効果を高めるために、例えば、遊技盤上にシール部材等からなる反射部材を配置して、これに光源の光を反射させることが行われている（例えば、特許文献１及び２）。これらは、反射部材に照射された光を周囲に反射させ、電飾効果を高める構成を有しているものの、遊技盤全体としての明るさが高まるという単純な電飾効果の向上を期待することができるのみである。一方、役物等は遊技における標的であり遊技者の注目が集まり易いことから、役物等を明るく華やかに見せるような電飾は効果的な演出の一つである。このような電飾が施された弾球遊技機として、例えば、役物等の近傍に光源と該光源を映し出す鏡面部材とが設置された弾球遊技機が存在する（例えば、特許文献３参照）。また、高い光反射効果が得られるパチンコ機用光反射部品が存在しており（例えば、特許文献４参照）、役物等に使用することにより高い電飾効果を得ることが可能となる。
【０００４】
【特許文献１】
特開平７−３２８１８１号公報
【特許文献２】
特開平１０−２１６３０５号公報
【特許文献３】
特開２００１−１１２９３５号公報
【特許文献４】
実開平６−２３５７６号公報
【０００５】
【発明が解決しようとする課題】
しかしながら、このようなシール部材等を用いた電飾手段は、シール部材の裏側から直接的に光源の光を透過させるか、または、反射シールの表側（反射面側）に直接的に光源からの光を照射する電飾手段であり、役物等をより明るく、華やかに見せる効果を充分に得ることができないことがあった。
また、従来の電飾手段では、役物上の特定の領域を光らせるためには、それぞれの特定の領域専用の光源を用いて照明を行っており、光を増量させるには、光源をたくさん設ける必要があるが、この場合には、大きなスペースを確保する必要があるとともに、コスト高となるため、遊技盤上の設計の自由度を阻害させる原因となることがあった。さらに、役物上の特定の領域がある程度広い場合には、その領域全体を一箇所に配置した光源で明るく見せることが困難であった。
【０００６】
【課題を解決するための手段】
本発明は、上述したような課題に鑑みてなされたものであり、その目的は、役物上の特定の領域等をより明るく、華やかに見せることができるとともに、低コストで、かつ、小スペースで電飾効果を得ることができる弾球遊技機を提供することにある。
【０００７】
具体的には、本発明は、以下のようなものを提供する。
（１）光源と、上記光源から出射された光を遊技者側へ反射するリフレクタと、上記リフレクタによる光の反射方向と対向するように配置された装飾板とを遊技盤に設けた弾球遊技機であって、
上記装飾板の一方の面には、反射部材が配設されており、
少なくとも上記反射部材の上記遊技者と向き合う側と反対側の面に、第一の反射面が形成されていることを特徴とする。
【０００８】
（１）の発明によれば、光源から出射してリフレクタで反射した光や、光源から直接到達した光が、反射部材の遊技者と向き合う側と反対側の面に形成された第一の反射面でも反射することとなる。そのため、リフレクタ及び第一の反射面での反射により光が発散されることとなり、上記弾球遊技機を操作する遊技者側へ出射してくる光量を高めることができ、役物をより明るく華やかに見せることができる。
【０００９】
また、（１）の発明では、装飾板の遊技者と向き合う側と反対側で光源から出射した光が発散することとなるため、役物の特定の領域を明るく見せるための光源として、それぞれの領域専用の光源を用いる必要がない。従って、低コストで、かつ、小スペースで特定の領域をより明るく、華やかに見せる効果を得ることができる。
【００１０】
さらに、本発明は、以下のようなものを提供する。
（２）上記（１）に記載の弾球遊技機であって、上記反射部材に形成された第一の反射面は、上記光源からの光の一部を透過することが可能な半透光性を有することを特徴とする。
【００１１】
（２）の発明によれば、装飾板及び反射部材に形成された第一の反射面を介して光源からの光が透過してくることとなるため、反射部材の遊技者と向き合う側の面であって、その反対側に第一の反射面が形成された部分にも電飾効果をもたせることができ、装飾板をより明るく、華やかに見せることができる。
【００１２】
さらに、本発明は、以下のようなものを提供する。
（３）上記（１）または（２）に記載の弾球遊技機であって、
上記反射部材には、上記遊技者と向き合う側の面に第二の反射面が形成されており、
上記リフレクタの一部が、上記装飾板より上記遊技者側の方向に迫り出し、上記リフレクタで反射した光の一部が、上記第二の反射面に照射され得るように構成されていることを特徴とする。
【００１３】
（３）の発明によれば、リフレクタで反射した光の一部が、装飾板に配設された反射部材に形成された第二の反射面に照射されることとなるため、装飾板の遊技者と向き合う側の面をより明るく華やかに見せることができる。
【００１４】
さらに、本発明は、以下のようなものを提供する。
（４）上記（１）〜（３）のいずれかに記載の弾球遊技機であって、
上記装飾板の上記遊技者側の面に、立体的形状を有する像が配置されていることを特徴とする。
【００１５】
（４）の発明のように、立体的形状を有する像が配置されている場合には、立体的形状の像の部分と、他の部分とでの光のあたり方の違いによるコントラストにより、上記像の立体感を増長させ、装飾板の華やかさをより際立たせることが可能となる。
【００１６】
なお、本明細書において、役物とは、遊技盤上に取り付けられた部材であって、遊技球の誘導、入賞に寄与する部材や遊技状態を表示する部材の総称であり、その具体例としては、例えば、パチンコ遊技装置の表示部等が挙げられる。
また、配設されているとは、貼着や嵌合により取り付けられている態様や、ネジや釘等により取り付けられている態様をいうこととする。
【００１７】
【発明の実施の形態】
本発明の弾球遊技機の実施例について図１〜６に基づいて説明する。
図１は、本発明の弾球遊技機の一例を模式的に示す正面図である。
なお、以下に説明する実施例においては、本発明の弾球遊技機の好適な実施例として、本発明をパチンコ遊技装置に適用した場合を示す。
また、本明細書のパチンコ遊技装置の説明においては、各構成部材のなす位置関係について、遊技者と向き合う側を「前」又は「表」とし、遊技者と向き合う側と反対側を「後」又は「裏」とする。
【００１８】
パチンコ遊技装置１０には、本体枠１２と、本体枠１２に組み込まれた遊技盤１４と、遊技盤１４の前面に設けられた窓枠１６と、窓枠１６の下側で本体枠１２の前面に設けられた上皿２０及び下皿２２と、上皿２０の両側に設置されたスピーカ４６と、下皿２６の右側に設けられた発射ハンドル２６とが配置されている。また、窓枠１６の左右の上側には装飾ランプ３６ａ、３６ｂが設置されている。
【００１９】
さらに、発射ハンドル２６は本体枠１２に対して回動自在に設けられており、遊技者は発射ハンドル２６を操作することによりパチンコ遊技を進めることができる。発射ハンドル２６の裏側には発射装置（図示せず）が設けられており、発射ハンドル２６が操作されたときには、上記発射装置に電力が供給され、上皿２０に貯留された遊技球が遊技盤１４に順次発射される。
【００２０】
発射された遊技球は、遊技盤１４上に設けられたガイドレール３０に案内されて遊技盤１４の上部に移動し、その後、遊技盤１４に植設された複数の障害釘（図示せず）との衝突により進行方向を変えながら遊技盤１４の下方に向かって落下する。
遊技盤１４には、表示装置３２をその中央に備えた表示部３３が設けられている。なお、表示部３３については、後で図面を参照しながら詳述することにする。
【００２１】
表示部３３の左右の上方には、遊技球の落下方向を変化させる転動誘導部材６０ａ、６０ｂが設けられている。また、表示部３３の左下方には入賞口５４ａが設けられ、遊技盤の左右の下側には入賞口５６ａ〜５６ｄが設けられている。表示部３３の下側には、２つの可動片を有する始動口４４が設けられており、始動口４４に遊技球が入ると表示装置３２上において複数の変動図柄が変動表示される。始動口４４の下側に設けられた大入賞口３８は、上述した複数の変動図柄が所定の入賞態様で停止表示された際に断続的に開放状態となるものである。入賞口５６、始動口４４又は大入賞口３８に遊技球が入ると所定数の遊技球が上皿２０又は下皿２２に払い出されることになる。図中、３５は告知ランプを示し、６１は表示部風車（詳しくは後述する）を示している。告知ランプ３５は遊技状況に応じて点灯又は消灯するものであり、表示部風車６１は表示部３３内に遊技球が入った際に回転するものである。なお、本明細書において、パチンコ遊技装置とは、パチコン機をも含む概念である。
【００２２】
図２は、図１に示した弾球遊技機に備えられた表示部の一例を模式的に示す分解斜視図である。また、図３（ａ）は、図２に示した表示部を構成する装飾部の一例を模式的に示す正面図であり、（ｂ）は、そのＡ−Ａ線断面図である。
表示部３３は、大きく分けると装飾部３４と球誘導部３７とからなる。
装飾部３４は、表示部３３の上部に位置しており、球誘導部３７は、表示部３３の左右及び下側に位置している。装飾部３４と球誘導部３７との間には、表示装置の表示装置３２が嵌め込まれる。上述したように、上記表示部が本明細書にいう役物の一例である。
【００２３】
表示装置３２の上側には、平板状の支持板８１が遊技者側へ突出するように設けられている。支持板８１の上面の中央付近には湾曲形状のリフレクタ８０Ｂが設けられ、さらに、このリフレクタ８０Ｂと支持板８１全体とを覆うようにリフレクタ８０Ａが設けられている。リフレクタ８０Ａには、保留ランプ用光源８３が取り付けられている。
また、装飾部３４の前面には、保留ランプカバー９３を備えた装飾板９０が取り付けられている。装飾板９０の前面には、反射部材９１が貼着されており、この反射部材９１の遊技者と向き合う側と反対側の面には、第一の反射面９１ａが形成されている。さらに、装飾板９０の前面の一部には、キャラクター部材９２が取り付けられている。また、装飾板９０は、リフレクタ８０Ａの光源８５（図３（ｂ）参照）からの光の反射方向と対向するように配置されており、さらに、その上方外縁部とリフレクタ８０Ａとの間に隙間ができる位置に固定されている。装飾板９０、反射部材９１、キャラクター部材９２、及び、保留ランプカバー９３もまた装飾部３４の構成部材である。
なお、本発明の弾球遊技機において、上記装飾板の材質や大きさ等は特に限定されるものではない。
また、本発明の弾球遊技機において、反射部材は装飾板の少なくとも一方の面に貼着されていればよいため、上記反射部材は、必ずしも、上記装飾板の前面に貼着されている必要はなく、装飾板の裏面に貼着されていてもよい。
【００２４】
反射部材９１が貼着された装飾板９０及びキャラクター部材９２は、装飾板９０の裏面に配設された凸部（図示せず）をリフレクタ８０Ａに設けられた円筒状の支持部８４Ａに嵌合させるととも、キャラクター部材９２の裏面に配設された凸部（図示せず）をリフレクタ８０Ｂの内側に設けられた円筒状の支持部８４Ｂ
に嵌合させることにより固定されている。
また、リフレクタ８０Ｂの後方には、光源８５が配設されている。
従って、パチンコ遊技装置１０では、光源と、上記光源から出射された光を遊技者側へ反射するリフレクタと、上記リフレクタによる光の反射方向と対向するように配置された装飾板とを遊技盤に設けていることとなる。なお、上記光源、上記リフレクタ、及び、上記装飾板は、上記遊技盤上の任意の位置に配置することができる。
また、本発明の弾球遊技機において、「リフレクタによる光の反射方向と対向するように配置された」とは、リフレクタにより反射された光を受けることが可能な位置に配置されていることを示し、例えば、リフレクタに対して手前に傾いた状態で配置されていてもよいし、奥側、右側、左側等に傾いた状態で配置されていてもよい。
また、本発明の弾球遊技機を構成する装飾部では、装飾板の前面（遊技者側の面）に立体的形状を有する像が配置されていてもよく、この立体的形状を有する像の具体例としては、例えば、図２に示したキャラクター部材９２等が挙げられる。
【００２５】
このような構成の装飾部３４では、図３に示すように、リフレクタ８０Ｂの後方に配置された光源８５から照射された光の一部が、リフレクタ８０Ａ、８０Ｂで反射して、遊技者側に照射される。また、リフレクタ８０Ａ、８０Ｂで反射した光の一部は、装飾板の前面に貼着された反射部材９１の裏面に形成された第一の反射面９１ａにおいてリフレクタ８０Ａに向って反射し、さらに、リフレクタ８０Ａで再度反射することにより、装飾板の前方へ出射されることとなる。なお、光源から出射した光の光路については、後に詳述する。
従って、リフレクタ８０Ａ、８０Ｂ及び第一の反射面９１ａで反射した光により、表示部３３を構成する装飾部３４を明るく、華やかに見せることができる。
なお、装飾板９１は、光源８５からの光の少なくとも一部を透過し得る材料を用いて作製されている。
また、図１〜３に示した実施形態では、反射部材の第一の反射面以外の部分も光源からの光の一部を透過する材料を用いて形成されている。なお、反射部材の第一の反射面以外の部分は、光を透過しない材料を用いて形成されていてもよい。
【００２６】
上述したように、リフレクタは光源から照射される光を反射することができる部材からなる。具体的には、リフレクタ８０Ａはその内側の面に反射面を有する湾曲形状の反射板からなり、リフレクタ８０Ｂはその外側の面に反射面を有する湾曲形状の反射板からなる。
このような反射板は、例えば、予め所定の形状に成形したプラスチック成形体の表面に、ビヒクルに銀粒子を混和した銀ペーストを印刷する方法、銀インキを印刷する方法、蒸着により金属膜を形成する方法等により作製することができる。また、リフレクタとして用いる反射板での光の反射は乱反射であることが望ましいが、鏡面反射であってもよい。
【００２７】
図２に示した実施形態では、リフレクタとして２枚の湾曲形状の反射板が用いられているが、本発明の弾球遊技機において、リフレクタの枚数は特に限定されるものではなく、１枚であってもよいし、３枚以上であってもよい。
さらに、リフレクタとして使用する反射板の形状は、湾曲形状に限定されるわけではなく、例えば、平面形状であってもよいし、これらを組み合わせた形状であってよい。
【００２８】
また、表示部３３を構成する球誘導部３７は、ワープルート入口６２から入球した遊技球を表示部風車６１を介して、ワープルート出口６３から出球させて遊技球をステージ上面に誘導するワープルートと、その上面が右側（表示部風車６１側）から、左側（告知ランプ３５側）に向かって下っていく階段状のステージ７２とから構成されている。
ステージ７２の上面には、複数のステージ穴７２Ａ、７２Ｂ、７２Ｃが設けられており、このステージ穴のそれぞれは、ステージ７２の下部に設けられた複数のステージ出口７３Ａ、７３Ｂ、７３Ｃのそれぞれに連通している。そのため、ステージ穴７２Ａ、７２Ｂ、７２Ｃに入球した遊技球は、それぞれに対応したステージ出口７３Ａ、７３Ｂ、７３Ｃから出球することとなる。さらに、ステージ７２には、その上面に誘導された遊技球のうち、ステージ穴に入球しなかった遊技球をステージ外へと誘導するためのステージ出口７３Ｄが設けられている。
従って、ステージ７２の上面に誘導された遊技球は、通常、ステージ出口７３Ａ〜７３Ｄを介してステージ外へと誘導されることとなる。
なお、ステージ７２の上面には、ワープルートを介さずに、遊技球が誘導されることもある。
【００２９】
ここで、７３Ａ〜７３Ｄを介してステージ外へと誘導された遊技球は、誘導された経路に応じて、球誘導部３７の下方に形成された始動口４４（図１参照）への入賞率が異なることとなる。
具体的には、ステージ出口７３Ｃを介して出球した遊技球の入賞率が最も高く、ステージ出口７３Ｄを介して出球した遊技球の入賞率が最も低くなっており、ステージ出口７３Ａ及び７３Ｂを介して出球した遊技球は、ステージ出口７３Ｃを介して出球した遊技球よりも低く、ステージ出口７３Ｄを介して出球した遊技球よりも高い入賞率となる。
【００３０】
次に、装飾部３４においてリフレクタ８０Ｂの後方に配置された光源８５から出射した光の光路について説明する。
図３に示すように、光源８５から出射した光の一部は、リフレクタ８０Ｂの上面、及び、リフレクタ８０Ａの下面で反射し、装飾板の前方へと出射する。さらに、リフレクタ８０Ａで反射した光の一部は、反射部材９１の裏面に形成された第一の反射面９１ａで反射し、さらに、リフレクタ８０Ａで再度反射した後、装飾板の前方へと出射する。勿論、装飾板の前方へと出射する光の光路は図示した光路のみではなく、リフレクタ８０Ａ、８０Ｂと第一の反射面９１ａとで複数回反射を繰り返した後、装飾板の前方へと出射する光もある。
従って、光源８５から出射した光は、リフレクタ８０Ａ、８０Ｂ及び第一の反射面９１ａでの反射により発散されることとなり、その結果、装飾板の前方へ出射してくる光量が高まることとなるため、装飾部をより明るく華やかに見せることができる。なお、図中８１は、支持板である。
また、このような実施形態の弾球遊技機では、表示部の一部の領域、即ち、装飾部を、リフレクタ８０Ｂの後方に配置された光源のみで明るく華やかに見せることができる。
なお、図３（ｂ）では、光源８５から出射した光の光路の一部を矢印付き二点鎖線で示している。
【００３１】
上記光源の具体例としては特に限定されず、ＬＥＤ（発光ダイオード）、電球等が挙げられる。ＬＥＤは出射光の指向性が高いため、特定の部位を特に明るくしたい場合に適しており、電球は出射光の指向性が低いため、装飾部全体を均一に明るくしたい場合に適している。
また、図３では、光源８５の個数は３個であるが、本発明において光源の数は特に限定されるものではなく、１個であってもよく、２個や４個以上であってもよい。また、複数個の光源を使用する場合、ＬＥＤと電球等、異種の光源が混在していてもよい。
【００３２】
また、複数個の光源を用いる場合においては、それぞれの光源として異なる色の光を発する光源を用いてもよい。これにより、装飾板の前方に光源が発する光の中間色を出射することができるため、より一層華やかな電飾効果を達成することができる。
【００３３】
上記反射部材としては、少なくとも反射部材の遊技者と向き合う側と反対側の面の一部又は全部に第一の反射面が形成されているものであれば特に限定されない。また、上記第一の反射面は、上記反射部材の一方の面の全体に形成されていてもよいし、一部にのみ形成されていてもよい。
さらに、反射部材に形成された第一の反射面での光の反射は、乱反射であることが望ましいが、鏡面反射であってもよい。
上記反射部材の具体例としては、樹脂等からなる基材シートの一の主面に第一の反射面が形成されたもの等が挙げられる。また、上記反射部材は、接着剤を介して装飾板に貼着されていればよい。
上記反射部材は、予め、上記一の主面又は他の主面に接着層が形成された反射シールであってもよい。設計変更時等には、装飾部におけるリフレクタのサイズに対応する反射部材が必要となるが、反射部材として反射シールを用いた場合には、当該反射シールを所望の形状に切り取るのみで良いので、装飾部の設計の変更にも迅速に対応することができる。
さらに、上記反射部材は、装飾板の一部に反射部材の一部を嵌合させることにより取り付けられていてもよいし、ネジや釘等によって装飾板に取り付けられていてもよい。
また、上記反射部材は、図２に示したように装飾板の一部にのみ貼着されていてもよいし、装飾板の全面に貼着されていてもよい。
さらに、装飾板には１種類の反射部材のみが貼着されていてもよいし、反射率や反射の種類等が異なる２種類以上の反射部材が貼着されていてもよい。
【００３４】
上記第一の反射面を形成する方法としては特に限定されず、例えば、ビヒクルに銀の微粒子を混和した銀ペーストを印刷する方法、銀インキを印刷する方法、蒸着により金属膜を形成する方法等が挙げられる。
また、上記反射部材に形成された第一の反射面としては、上記光源からの光を透過しないものや、後述するように、上記光源からの光の一部を透過することが可能な半透光性を有するものが望ましい。
上記反射部材に形成される第一の反射面として、上記光源からの光を透過しないものを用いた場合には、第一の反射面の後方（リフレクタ側）にビスやボス等の構造が存在してもこれらのシルエットが装飾板の前方から見えることがなく、美観に優れることとなる。
【００３５】
図１〜３に示した装飾部は、装飾板の前面（遊技者側の面）に立体的形状を有する像として、キャラクター部材を備えているが、本発明の弾球遊技機においては、必ずしも装飾板の前面に立体的形状を有する像が配置されていなくてもよい。しかしながら、キャラクター部材等の立体的形状を有する像が配置されている場合には、立体的形状の像の部分と、他の部分との光のあたり方の違いによるコントラストにより、上記像の立体感を増長させ、装飾板の華やかさをより際立たせることが可能となる。
【００３６】
本発明の弾球遊技機において、装飾部の実施形態は、上述した実施形態に限定されるわけではなく、その他の構成を有する実施形態であってもよい。
即ち、本発明の弾球遊技機における装飾部では、上述したように、装飾板の一方の面に貼着された反射部材に形成された第一の反射面が、光源からの光の一部を透過することが可能な半透光性を有するものであってもよい。
以下、このような反射部材が貼着された装飾部について、図面を参照しながら説明する。
図４（ａ）は、装飾部の他の一例を模式的に示す正面図であり、（ｂ）は、そのＡ−Ａ線断面図である。
【００３７】
図４に示す装飾部１３４では、装飾板１９０の前面に、その裏面に半透光性の第一の反射面１９１ａが形成された反射部材１９１が貼着されている。
このような半透光性の第一の反射面１９１ａが形成された反射部材１９１を貼着した場合には、装飾板１９０及び反射部材１９１に形成された第一の反射面１９１ａを介して光源１８５からの光が透過してくることとなるため、裏面に第一の反射面１９１ａが形成された部分の反射部材１９１の表面にも電飾効果をもたせることができ、装飾板をより明るく、華やかに見せることができる。
なお、支持板１８１及びリフレクタ１８０Ｂのそれぞれは、図３に示した支持板８１及びリフレクタ８０Ｂのそれぞれと同様の作用を奏するものものである。
【００３８】
さらに、図４に示した実施形態の装飾部では、図１〜３の示した実施形態と同様、反射部材１９１に形成された第一の反射面１９１ａにより、リフレクタ１８０Ａからの光を、再びリフレクタ１８０Ａに向って反射することできるため、光源から出射した光が、装飾板の後方で発散されることとなる。その結果、装飾板の前方へ出射してくる光量が高まることとなり、装飾部をより明るく華やかに見せることができる。
また、このような実施形態においても、リフレクタ１８０Ｂの後方に配置した光源のみで装飾板全体を明るく華やかに見せることができる。
【００３９】
上記半透光性の第一の反射面が形成された反射部材としては、例えば、第一の反射面に所謂ハーフミラーが形成された反射部材等が挙げられる。上記ハーフミラーは、印刷や蒸着等により金属膜（第一の反射面）を形成する際に、その金属膜の厚さを制御することで形成することができる。
なお、本明細書において、半透光性の第一の反射面が形成された反射部材は、第一の反射面に到達した光のうちの一部の光を透過させることができるものであればよい。
また、本実施形態の装飾部では、反射部材を介して光源からの光が装飾板の前方へ出射されることとなるため、反射部材の第一の反射面以外の部分の部材もまた光を透過することができる。
【００４０】
また、本発明の弾球遊技機において、装飾部の実施形態は、上記反射部材には、上記遊技者と向き合う側の面に第二の反射面が形成されており、
上記リフレクタの一部が、上記装飾板より上記遊技者側の方向に迫り出し、上記リフレクタで反射した光の一部が、上記第二の反射面に照射され得るように構成されている形態であってもよい。
【００４１】
以下、このような形態の反射部材とリフレクタとを有する装飾部について、図面を参照しながら説明する。
図５及び図６は、それぞれ、（ａ）が装飾部の他の一例を模式的に示す正面図であり、（ｂ）が（ａ）のＡ−Ａ線断面図である。
【００４２】
図５に示す装飾部２３４では、反射部材２９１の裏面の一部に第一の反射面２９１ａが形成されるとともに、反射部材２９１の表面の一部に第二の反射面２９１ｂが形成されている。さらに、この装飾部では、装飾板２９０が、リフレクタ２８０Ａの内側の位置に、換言すれば、リフレクタ２８０Ａの一部が、装飾板２９０のより遊技者側の方向に迫り出し、リフレクタ２８０Ａで反射した光の一部が、第二の反射面２９１ｂに照射され得る位置に形成されている。従って、図５に示す装飾部２３４は、リフレクタ２８０Ａを介して反射部材の表面に形成された第二の反射面２９１ｂに光を照射し得るように構成されていることとなる。
なお、支持板２８１、リフレクタ２８０Ｂ及び光源２８５のそれぞれは、図３に示した支持板８１、リフレクタ８０Ｂ及び光源８５のそれぞれと同様の作用を奏するものものである。
【００４３】
このような構成からなる装飾部２３４では、図５（ｂ）に矢印付き二点鎖線で示すように、リフレクタ２８０Ａで反射した光の一部が、装飾板２９０に貼着された反射部材に形成された第二の反射面２９１ｂに照射されることとなるため、装飾板の前面をより明るく華やかに見せることができる。
【００４４】
また、このような構成の反射部材及びリフレクタを有する装飾部において、上記反射部材に形成された第一の反射面が、光源からの光を透過しない反射面からなるものである場合には、上述した効果に加え、図３に示した実施形態の装飾部と同様、第一の反射面の後方にビスやボス等の構造が存在してもこれらのシルエットが装飾板の前方から見えることがなく、美観に優れるという効果を得ることができる。
【００４５】
また、図６に示した装飾部３３４では、反射部材３９１に形成された第一の反射面３９１ａ、及び、第二の反射面３９１ｂが、光源３８５からの光の一部を透過することが可能な半透光性を有する。
図６に示した実施形態は、反射部材３９１に形成された第一の反射面３９１ａ、及び、第二の反射面３９１ｂが、光源３８５からの光の一部を装飾板３９０の前方へ透過することが可能な半透光性の反射面からなる以外は、図５に示した実施形態と同様である。
なお、支持板３８１及びリフレクタ３８０Ｂのそれぞれは、図３に示した支持板８１及びリフレクタ８０Ｂのそれぞれと同様の作用を奏するものものである。
このような実施形態の装飾部３３４では、図６（ｂ）に矢印付き二点鎖線で示すように、リフレクタ３８０Ａで反射した光の一部が装飾板３９０に貼着された反射部材３９１に形成された第二の反射面３９１ｂに照射されることとなるため、装飾板３９０の前面をより明るく華やかに見せることができる。さらに、図４に示した実施形態の装飾部と同様、第一の反射面が形成された部分の反射部材の表面にも電飾効果をもたせることができ、装飾板をより明るく、華やかに見せることができる。
また、図５、６に示したような、実施形態において、第一の反射面と、第二の反射面とは、必ずしも正面視した際に重なり合う位置に形成されている必要はない。なお、図５、６に示したような第二の反射面は、上記第一の反射面を形成する方法と同様の方法により形成することができる。
また、第二の反射面での光の反射は、第一の反射面同様、乱反射であることが望ましいが、鏡面反射であってもよい。
【００４６】
また、本発明の弾球遊技機の実施形態においては、支持板９０、１９０、２９０、３９０の上面に、その上面に反射面が形成された反射部材が貼着されていたり、支持板がその上面で光を反射することができる部材からなるものであったりしてもよい。
このように、支持板の上面においても光を反射することができる構成とすることにより、リフレクタや反射部材に形成された第一の反射面から支持板に向って反射した光を、再度、上方に向って反射することができ、本発明の効果をより享受しやすくなることがあるからである。
【００４７】
なお、図４〜６に示した実施形態の装飾部においては、装飾板の遊技者側の面（前面）には立体的形状を有する像が取り付けられていないが、これらの実施形態の装飾部においても、装飾板の前面に立体的形状を有する像が取り付けられていてもよい。
特に、図５、６に示した実施形態の装飾部において、装飾板の前面に立体的形状を有する像が形成されている場合には、リフレクタからの光を反射部材の前面に形成された第二の反射面で反射させることにより、立体的形状を有する像と、その他の部分（第二の反射面が形成された部分）とでの光のあたり方が違うことに加えて、両者での光の反射量が大きく異なることとなるため、装飾板の華やかさをさらに際立たせることが可能となる。また、立体的形状を有する像の設計変更にも、反射部材の形状を変更することにより、迅速に対応することができる。
【００４８】
また、図４、６に示した実施形態において、装飾板の前面に立体的形状を有する像を取り付ける場合には、この立体的形状を有する像もまた、光源からの光を透過する材料を用いて形成されたものであることが望ましい。
また、図４〜６に示した装飾板の前面は、必要に応じて、保留ランプカバーを備えていてもよい。
【発明の効果】
本発明の弾球遊技機は、上述した構成を有するため、上記弾球遊技機を操作する遊技者側へ出射してくる光量を高めることができ、役物をより明るく華やかに見せることができる。
また、上記弾球遊技機では、低コストで、かつ、小スペースで特定の領域をより明るく、華やかに見せる効果を得ることができる。
【図面の簡単な説明】
【図１】本発明の弾球遊技機の一例を模式的に示す正面図である。
【図２】図１に示した弾球遊技機に備えられた表示部の一例を模式的に示す斜視図である。
【図３】（ａ）は、図２に示した表示部に含まれる装飾部の一例を模式的に示す正面図であり、（ｂ）は、そのＡ−Ａ線断面図である。
【図４】（ａ）は、装飾部の他の一例を模式的に示す正面図であり、（ｂ）は、そのＡ−Ａ線断面図である。
【図５】（ａ）は、装飾部の他の一例を模式的に示す正面図であり、（ｂ）は、そのＡ−Ａ線断面図である。
【図６】（ａ）は、装飾部の他の一例を模式的に示す正面図であり、（ｂ）は、そのＡ−Ａ線断面図である。
【符号の説明】
１０  パチンコ遊技装置
１２  本体枠
１４  遊技盤
１６  窓枠
２０  上皿
２２  下皿
２６  発射ハンドル
３０  ガイドレール
３２  表示装置
３３  表示部
３４  装飾部
３５  告知ランプ
３６  装飾ランプ
３７  球誘導部
３８  大入賞口
４４  始動口
４６  スピーカ
５６  入賞口
６１  表示部風車
８０  リフレクタ
８１、１８１、２８１、３８１  支持板
８３  保留ランプ用光源
８４  支持部
８５  光源
９０、１９０、２９０、３９０  装飾板
９１、１９１、２９１、３９１  反射部材
９１ａ、１９１ａ、２９１ａ、３９１ａ  第一の反射面
２９１ｂ、３９１ｂ  第二の反射面
９２  キャラクター部材
９３  保留ランプカバー
【図１】
2004236699.tif 000003
【図２】
2004236699.tif 000004
【図３】
2004236699.tif 000005
【図４】
2004236699.tif 000006
【図５】
2004236699.tif 000007
【図６】
2004236699.tif 000008